(57)【特許請求の範囲】
【請求項１】
ケーブルに接続される端子と、前記端子を保持したベースインシュレータと、前記ケーブルを保持して前記ベースインシュレータに対し移動可能に係合し、梃子として働くカバーインシュレータとを備え、前記端子は前記ベースインシュレータの外部に突出した結線部を有し、前記カバーインシュレータは、移動時に前記結線部を受ける端子受け部と、移動時に前記芯線を受ける芯線受け部とを有し、前記梃子により前記端子を変形させ、前記梃子の作用点と前記端子との間に前記ケーブルの芯線を挟むことにより、前記結線部は前記端子受け部によって押されて撓み、前記芯線に加圧接触することを特徴とするケーブルコネクタ。
【請求項２】
前記カバーインシュレータは、第１の位置と第２の位置との間で回動方向に回動可能であり、前記端子受け部と前記芯線受け部とは、前記回動方向で互いに対向し、前記カバーインシュレータが前記第１の位置にあるとき前記結線部と実質的に平行である、請求項１に記載のケーブルコネクタ。
【請求項３】
前記カバーインシュレータが前記第２の位置にあるとき前記結線部に対し傾斜し、前記結線部の先端を押して前記結線部の中間部を前記芯線に加圧接触させる、請求項２に記載のケーブルコネクタ。
【請求項４】
前記カバーインシュレータは角穴を有し、前記端子受け部及び前記芯線受け部は前記角穴の前記回動方向における対向面で構成されている、請求項２または３に記載のケーブルコネクタ。
【請求項５】
前記端子は複数備えられており、前記角穴は前記端子毎に個別に設けられている、請求項４に記載のケーブルコネクタ。
【請求項６】
前記カバーインシュレータは、前記第１の位置で前記ベースインシュレータに対し係合又は離脱が可能である、請求項２から５のいずれかに記載のケーブルコネクク。
【請求項７】
前記カバーインシュレータを前記第２の位置で前記ベースインシュレータに固定する固定手段を有する、請求項６に記載のケーブルコネクク。
【発明の詳細な説明】
【技術分野】
【０００１】
本発明は、ケーブルの端部に接続されるコネクタ（ここでは「ケーブルコネクタ」と呼ぶ）に関する。
【背景技術】
【０００２】
この種のコネクタは差動信号の伝送に使用される場合ある。その場合には、コネクタに含まれたプラス信号のための端子とマイナス信号のための端子とが差動ペアを形成する。
【０００３】
例えば特許文献１は、Ｕスリット端子を用いることを提案している。しかし、Ｕスリット端子はピッチ方向に端子幅が広くなるため、端子の狭ピッチ化において不利である。また、狭ピッチ化に対応するために千鳥配列にすると差動ペア間の結合が乱れるためインピーダンス整合において不利である。また、スリットにケーブルの芯線を押し込むため、芯線に傷をつけてしまう虞がある。特に端子をプレスにより製造する場合、スリット部分は破断面になるため芯線が削られることもある。
【０００４】
また特許文献２は、所謂チューニングフォーク型コンタクトを用いたケーブルコネクタを開示している。しかし、この種のコンタクトは断面積が大きく、伝送経路の分岐もあるため、高周波ではインピーダンス整合には不利である。また、特許文献１におけるＵスリット端子と同様に、ケーブルの芯線に傷を付けてしまう虞がある。
【０００５】
【特許文献１】特許３４１０９７１号公報
【特許文献２】特許第３２６５４２４号公報
【発明の開示】
【発明が解決しようとする課題】
【０００６】
それ故に本発明の課題は、狭ピッチ化に容易に対応することができ、インピーダンス整合において有利で、しかも、ケーブルの芯線に傷を付けにくいケーブルコネクタを提供することにある。
【課題を解決するための手段】
【０００７】
本発明の一態様によれば、ケーブルに接続される端子と、前記端子を保持したベースインシュレータと、前記ケーブルを保持して前記ベースインシュレータに対し移動可能に係合し、梃子として働くカバーインシュレータとを備え、前記端子は前記ベースインシュレータの外部に突出した結線部を有し、前記カバーインシュレータは、移動時に前記結線部を受ける端子受け部と、移動時に前記芯線を受ける芯線受け部とを有し、前記梃子により前記端子を変形させ、前記梃子の作用点と前記端子との間に前記ケーブルの芯線を挟むことにより、前記結線部は前記端子受け部によって押されて撓み、前記芯線に加圧接触することを特徴とするケーブルコネクタが得られる。
【００１０】
前記カバーインシュレータは、第１の位置と第２の位置との間で回動方向に回動可能であり、前記端子受け部と前記芯線受け部とは、前記回動方向で互いに対向し、前記カバーインシュレータが前記第１の位置にあるとき前記結線部と実質的に平行であってもよい。
【００１１】
前記カバーインシュレータが前記第２の位置にあるとき前記結線部に対し傾斜し、前記結線部の先端を押して前記結線部の中間部を前記芯線に加圧接触させるものでもよい。
【００１２】
前記カバーインシュレータは角穴を有し、前記端子受け部及び前記芯線受け部は前記角穴の前記回動方向における対向面で構成されていてもよい。
【００１３】
前記端子は複数備えられており、前記角穴は前記端子毎に個別に設けられていてもよい。
【００１４】
前記カバーインシュレータは、前記第１の位置で前記ベースインシュレータに対し係合又は離脱が可能であってもよい。
【００１５】
このケーブルコネクタは、さらに、前記カバーインシュレータを前記第２の位置で前記ベースインシュレータに固定する固定手段を有してもよい。
【発明の効果】
【００１６】
本発明の上述した態様によるケーブルコネクタは、狭ピッチ化に容易に対応することができ、インピーダンス整合において有利で、しかも、ケーブルの芯線に傷を付けにくいという利点がある。
【発明を実施するための最良の形態】
【００１７】
図１〜図１０を参照して、本発明の実施形態に係るケーブルコネクタについて説明する。
【００１８】
ケーブルコネクタ１は、複数の導電性の端子１０、これらの端子１０を保持したベースインシュレータ２０、ベースインシュレータ２０に対し着脱可能な一対のカバーインシュレータ３０、各カバーインシュレータ３０にケーブル４０を保持させるためのクランプ５０、及びこれらのカバーインシュレータ３０をベースインシュレータ２０に固定するための固定手段としてのロック７０を含んでいる。なおケーブル４０はその端部のみが図示され、残りの部分は図示を省略されている。
【００１９】
ベースインシュレータ２０は、一端に嵌合部２１を有し、他端に端子保持部２２を有している。嵌合部２１は、ケーブルコネクタ１の接続対象である相手側コネクタ８０に嵌合するための凹部である。端子保持部２２は、端子１０を二列に配列して圧入保持するための部分である。
【００２０】
各端子１０は、ケーブル４０の芯線（電線）４１に接続される結線部１１と、相手側コネクタ８０の対応端子８１に接触する接触部１２とを有している。結線部１１はベースインシュレータ２０の背面から片持ち梁状に直線的に突出している。接触部１２は、ベースインシュレータ２０の嵌合部２１内に位置決めされている。
【００２１】
各カバーインシュレータ３０は端子１０と同数の角穴よりなる開口部３１を有している。開口部（角穴）３１は、ケーブル保持部となるカバーインシュレータ３０の下面に対し傾斜して開口している。開口部３１の下面はケーブル４０の芯線４１を受ける芯線受け部３１ａを構成し、上面は端子１０の結線部１１を受ける端子受け部３１ｂを構成している。
【００２２】
ケーブル４０はクランプ５０を用いてカバーインシュレータ３０に保持される。カバーインシュレータ３０へのクランプ５０の固定は、クランプ５０の左右両側の係合部５１をカバーインシュレータ３０の左右両側に設けた係合凹部３４に係合することにより行う。
【００２３】
ケーブル４０の芯線４１は開口部３１毎に１本ずつ配置される。図３の状態では、芯線４１はカバーインシュレータ３０の芯線受け部３１ａによって端子１０の結線部１１に向けて押し曲げられ、一方、結線部１１はカバーインシュレータ３０の端子受け部３１ｂによって押されて少し内側に撓み、芯線４１に加圧接触している。
【００２４】
図１１を参照して、ケーブル４０について説明する。
【００２５】
ケーブル４０は、二本の信号線４１ａ、４１ｂと一本のドレイン線４１ｃとを内部に有している。ケーブル４０の外部被覆４３の内側にはシールド線４４が備えられている。ドレイン線４１ｃはシールド線４４に電気的に接続されているが、信号線４１ａ、４１ｂの各々は内部被覆４５により他の導体から電気的に絶縁されている。シールド線４４で取り囲まれた信号線４１ａ、４１ｂとドレイン線４１ｃとを纏めて、ここでは芯線４１と呼ぶ。
【００２６】
図１２〜図１４を参照して、結線作業について説明する。
【００２７】
まず、図１３に示すように、ベースインシュレータ２０に対してカバーインシュレータ３０を傾斜させ、開口部３１と端子１０がほぼ平行になる角度に保つ。即ち、カバーインシュレータ３０を傾斜姿勢でベースインシュレータ２０に組み付けるとき、芯線受け部３１ａ及び端子受け部３１ｂは端子１０の結線部１１とほぼ平行である。この姿勢で、カバーインシュレータ３０の凸部３２をベースインシュレータ２０の凹部２３に入れる（図１２（ａ））。そして、凹部２３をガイドにしてカバーインシュレータ３０をベースインシュレータ２０に突き当たる位置まで移動させる（図１２（ｂ））。
【００２８】
この結果、図１４（ａ）及び（ｂ）に示すように、端子１０の結線部１１が、芯線４１が配置されたカバーインシュレータ３０の開口部３１に挿入される。次に、カバーインシュレータ３０を紙面に沿って矢印のように回動させ、図１２（ｃ）に示すように水平状態になす。すると、芯線４１はカバーインシュレータ３０の芯線受け部３１ａによって端子１０の結線部１１に向けて押し曲げられ、一方、結線部１１はカバーインシュレータ３０の端子受け部３１ｂによって押されて少し内側に撓み（図１５）、ケーブル４０の芯線４１に加圧接触する。即ち、カバーインシュレータ３０を回転し水平状態にしたとき、端子受け部３１ｂは端子１０の結線部１１の先端６２を押し、先端６２と基部６１との間の中間部６３を芯線４１に加圧接触させる。
【００２９】
最後に、ロック７０をベースインシュレータ２０の溝２４とカバーインシュレータ３０の溝３５とに嵌め、その係合突起７１を溝３５の係合凹部３５ａに係合させる。かくして、カバーインシュレータ３０がベースインシュレータ２０に固定され、結線作業が完了する。結線状態にある端子１０は、ベースインシュレータ２０の端子保持部２２が支点、先端６２が力点、芯線４１との接触部即ち中間部６３が作用点となり、梃子により中間部６３に大きな力が加わる。
【００３０】
結線作業の完了時（即ち、カバーインシュレータ３０のの回動終了時）には、カバーインシュレータ３０の凸部３３がベースインシュレータの凹部２３に入り込み、後方壁面に当接することで、端子１１が開口部３１から抜けることは防止される。また、ロック７０によりカバーインシュレータ３０の逆方向への回動が阻止される。
【００３１】
上述したケーブルコネクタによると、シンプルな形状の端子により結線できる。梃子により結線の力を発生するため結線動作に必要な力は小さく、結線保持力は大きい。また、端子が小さくても所要の結線保持力を得ることができるため、端子幅を広くする必要がなく、狭ピッチに対応することができる。端子断面積が小さくても結線保持力が確保できるため、端子断面積を小さくすることが可能であり、また端子形状の変化及び伝送路の変化が小さいため、インピーダンスの整合がとりやすい。結線用の開口部１つに対して１本の電線と１つの端子が入って結線されるため、開口部ごとに力の釣り合いがとられるので、隣接する結線部に影響を与えにくく、結線信頼性が高い。プレスにより端子を製造した場合、破断面を接触部にする必要がなく、接触部をロール面にできるので相手側コネクタの対応端子に傷を付けにくい。また、結線部分は電線と端子を当接させているだけであるので、電線に傷を付けにくい。
【００３２】
なお、ケーブル４０としては、図８に示すものに限らず、単線ケーブルを使用してもよい。また、本実施形態ではカバーインシュレータ３０は２組使用しているが、１組のタイプのコネクタにも同様に適用できる。
【図面の簡単な説明】
【００３３】
【図１】本発明の実施形態に係るケーブルコネクタの斜視図である。
【図２】図１のケーブルコネクタを相手側コネクタと共に示す斜視図である。
【図３】図１のケーブルコネクタの断面拡大図である。
【図４】図１のケーブルコネクタに含まれたベースインシュレータの斜視図で、(a)は正面側、(b)は背面側を示す。
【図５】図４のベースインシュレータにコンククトを装着した状態を示す背面側から見た斜視図である。
【図６】図５のVI−VI線に沿って得られた断面図である。
【図７】図１のケーブルコネクタに含まれた他の部品を示し、（ａ）はカバーインシュレータ、クランプ、及びロックの斜視図、 (b)はカバーインシュレータのみの斜視図である。
【図８】図７のVIII−VIII線に沿って得られた拡大断面図である。
【図９】図７（ｂ）のカバーインシュレータにケーブルを装着した状態を示す斜視図である。
【図１０】図９の拡大断面図である。
【図１１】図１のケーブルコネクタに接続するケーブルの一例を示す斜視図である。
【図１２】ベースインシュレータにカバーインシュレータを組み込む際の作業手順を示す側面図で、(a)は組み込み直前、(b)は組み込み途上、(c)は組み込み完了後の状態を示す。
【図１３】ベースインシュレータにカバーインシュレータを組み込む直前の状態を示す断面図である。
【図１４】ベースインシュレータにカバーインシュレータを組み込む途中の状態を示し、(a)は全体の断面図であり、(b)は(a)の破線で囲んだ部分の拡大図である。
【図１５】図３の破線で囲んだ部分の、図１４と同様な図である。
【符号の説明】
【００３４】
１  ケーブルコネクタ
１０    端子
１１    結線部
１２    接触部
２０    ベースインシュレータ
２１    嵌合部
２２    端子保持部
２３    凹部
２４    溝
３０    カバーインシュレータ
３１    開口部
３１ａ  芯線受け部
３１ｂ  端子受け部
３２    凸部
３３    凸部
３４    係合凹部
３５    溝
３５ａ  係合凹部
４０    ケーブル
４１    芯線
４１ａ、４１ｂ  信号線
４１ｃ  ドレイン線
４３    外部被覆
４４    シールド線
４５    内部被覆
５０    クランプ
６１    結線部の基部
６２    結線部の先端
６３    結線部の中間部
７０    ロック
８０    相手側コネクタ
８１    対応端子
【図１】
0004452298.tif 000002
【図２】
0004452298.tif 000003
【図３】
0004452298.tif 000004
【図４】
0004452298.tif 000005
【図５】
0004452298.tif 000006
【図６】
0004452298.tif 000007
【図７】
0004452298.tif 000008
【図８】
0004452298.tif 000009
【図９】
0004452298.tif 000010
【図１０】
0004452298.tif 000011
【図１１】
0004452298.tif 000012
【図１２】
0004452298.tif 000013
【図１３】
0004452298.tif 000014
【図１４】
0004452298.tif 000015
【図１５】
0004452298.tif 000016